(57)【要約】【課題】装置全体を大型化することなく、異物捕集効率を長期間に亘って高く維持する。【解決手段】フィルター連結体１０３は、第１フィルター１０４がダクト１０１内における第１バイパス壁部１０１ｆよりも上流側に位置し、且つ第２フィルター１０１ｇがダクト１０１内における第２バイパス壁部１０１ｇに対応する箇所に位置する第１の状態と、第１フィルター１０４がダクト内における第１バイパス壁部１０１ｆに対応する箇所に位置し、且つ、第２フィルター１０１ｇがダクト１０１内における第２バイパス壁部１０１ｇよりも下流側に位置する第２の状態とを有している。フィルター連結体１０３は、第１の状態において、第１フィルター１０４の異物捕集量が所定量を超えると、ダクト１０１に対して空気流通方向の下流側に移動することにより第２の状態に移行する。【選択図】図５
2015106070.tif 000002
【特許請求の範囲】
【請求項１】
ダクト内を流通する空気中の異物を捕集するための異物捕集装置であって、
上記ダクト内に配置された第１フィルターと該第１フィルターよりも下流側に配置された第２フィルターとを連結部材を介して連結してなるフィルター連結体を備え、
上記ダクトの壁部は、該ダクト内を流通する空気が上記第１フィルターをバイパスするための流路を形成する第１バイパス壁部と、当該空気が上記第２フィルターをバイパスするための流路を形成する第２バイパス壁部と、を有し、
上記フィルター連結体は、上記第１フィルターが上記ダクト内における上記第１バイパス壁部よりも上流側に位置し、且つ、上記第２フィルターが上記ダクト内における上記第２バイパス壁部に対応する箇所に位置する第１の状態と、上記第１フィルターが上記ダクト内における上記第１バイパス壁部に対応する箇所に位置し、且つ、上記第２フィルターが上記ダクト内における上記第２バイパス壁部よりも下流側に位置する第２の状態とを有していて、上記第１の状態において、上記第１フィルターの異物捕集量が所定量を超えると、当該フィルター連結体が上記ダクトに対して空気流通方向の下流側に移動することにより上記第２の状態に移行するように構成されている、異物捕集装置。
【請求項２】
請求項１記載の異物捕集装置において、
上記フィルター連結体は、上記第１の状態において、上記第１フィルターの異物捕集量が上記所定量を超えた場合には、上記第１フィルターに作用する風圧により、上記ダクトに対して上記空気流通方向の下流側に移動することにより上記第２の状態に移行するように構成されている、異物捕集装置。
【請求項３】
請求項１記載の異物捕集装置において、  
上記ダクトを上記空気流通方向に駆動するためのダクト駆動機構と、
上記第１フィルターの異物捕集量を検出する異物捕集量検出手段と、
上記異物捕集量検出手段により検出された上記第１フィルターの異物捕集量を基に、上記ダクト駆動機構を制御する制御手段とを備え、
上記制御手段は、上記異物捕集量検出手段により検出された第１フィルターの異物捕集量が上記所定量以下である場合には、上記フィルター連結体が上記第１の状態になるように上記ダクト駆動機構を制御し、且つ、該フィルター連結体が上記第１の状態にある場合において、上記検出された第１フィルターの異物捕集量が上記所定量を超えたときには、上記フィルター連結体が上記第２の状態に移行するように、上記ダクト駆動機構によって上記ダクトを駆動するように構成されている、異物捕集装置。
【請求項４】
請求項１記載の異物捕集装置において、
上記ダクトを上記空気流通方向に伸縮させるためのダクト伸縮機構と、
上記第１フィルターの異物捕集量を検出する異物捕集量検出手段と、
上記異物捕集量検出手段により検出された上記第１フィルターの異物捕集量を基に、上記ダクト伸縮機構を制御する制御手段とを備え、
上記制御手段は、上記異物捕集量検出手段により検出された第１フィルターの異物捕集量が上記所定量以下である場合には、上記フィルター連結体が上記第１の状態になるように上記ダクト伸縮機構を制御し、且つ、該フィルター連結体が上記第１の状態にある場合において、上記検出された第１フィルターの異物捕集量が上記所定量を超えたときには、上記フィルター連結体が上記第２の状態に移行するように、上記ダクト伸縮機構によって上記ダクトを縮長させるように構成されている、異物捕集装置。
【発明の詳細な説明】
【技術分野】
【０００１】
本発明は、異物捕集装置に関する。
【背景技術】
【０００２】
従来より、ダクト内を流通する空気中の異物をフィルターにより捕集する異物捕集装置は知られている（例えば、特許文献１参照）。この異物捕集装置は、ダクト内に空気を流通させるための送風ファンを備えている。ダクト内における送風ファンの上流側には、空気通路を遮るようにフィルターが配置されている。フィルターは、空気通路に直交する方向に移動可能に構成されている。フィルターの上流側又は下流側には、風速を検知するための風速計が配置されている。風速計は、上記駆動手段を制御するコントローラーに接続されている。コントローラーは、風速計により検知された風速が所定値以下であると判断したときには、駆動手段によりフィルターを所定量だけ移動させるように構成されている。これによれば、フィルターに目詰まりが生じてその上流側の風速が所定値以下になると、フィルターの使用済み領域が空気通路の外側に移動し、フィルターの未使用領域が空気通路内に移動する。したがって、フィルターによる異物捕集効率を長期間に亘って高く維持することができる。
【先行技術文献】
【特許文献】
【０００３】
【特許文献１】特開２００８−９６８８５号公報
【発明の概要】
【発明が解決しようとする課題】
【０００４】
しかしながら、上記特許文献１に示す異物捕集装置では、駆動手段によりフィルターを空気通路に直交する方向に移動させるようにしているため、ダクトの周囲に駆動手段を配置するための大きなスペースが必要となる。このため、装置全体が大型化するという問題がある。
【０００５】
また、フィルターを空気通路に直交方向する方向に移させようとすると、フィルター全体をダクト内に収めることが困難になる。このため、ダクト外に露出したフィルターから異物が飛散して、異物捕集効率が実質的に低下するという問題がある。
【０００６】
本発明は、かかる点に鑑みてなされたものであり、その目的とするところは、装置全体を大型化することなく、異物捕集効率を長期間に亘って高く維持することにある。
【課題を解決するための手段】
【０００７】
本発明に係る異物捕集装置は、ダクト内を流通する空気中の異物を捕集するための装置である。
【０００８】
そして、上記ダクト内に配置された第１フィルターと該第１フィルターよりも下流側に配置された第２フィルターとを連結部材を介して連結してなるフィルター連結体を備え、上記ダクトの壁部は、該ダクト内を流通する空気が上記第１フィルターをバイパスするための流路を形成する第１バイパス壁部と、当該空気が上記第２フィルターをバイパスするための流路を形成する第２バイパス壁部と、を有し、上記フィルター連結体は、上記第１フィルターが上記ダクト内における上記第１バイパス壁部よりも上流側に位置し、且つ、上記第２フィルターが上記ダクト内における上記第２バイパス壁部に対応する箇所に位置する第１の状態と、上記第１フィルターが上記ダクト内における上記第１バイパス壁部に対応する箇所に位置し、且つ、上記第２フィルターが上記ダクト内における上記第２バイパス壁部よりも下流側に位置する第２の状態とを有していて、上記第１の状態において、上記第１フィルターの異物捕集量が所定量を超えると、当該フィルター連結体が上記ダクトに対して空気流通方向の下流側に移動することにより上記第２の状態に移行するように構成されている。
【発明の効果】
【０００９】
本発明によれば、装置全体を大型化することなく、異物捕集効率を長期間に亘って高く維持することができる。
【図面の簡単な説明】
【００１０】
【図１】図１は、実施形態における異物捕集装置を備えたレーザープリンターを示す全体図である。
【図２】図２は、異物捕集装置を示す概略の縦断面図である。
【図３】図３は、第１フィルターに係合する第１トッパー部を示す拡大図である。
【図４】図４は、第２フィルターに係合する第２トッパー部を示す拡大図である。
【図５】図５は、異物捕集装置の動作を説明するための説明図である。
【図６】図６は、実施形態２を示す図２相当図である。
【図７】図７は、実施形態２を示す図５相当図である。
【図８】図８は、実施形態３を示す図２相当図である。
【図９】図９は、実施形態３を示す図５相当図である。
【図１０】図１０は、他の実施形態を示す図５相当図である。
【発明を実施するための形態】
【００１１】
《実施形態１》
−全体構成−
図１は、本実施形態における異物捕集装置１００を備えたレーザープリンター１（以下、単にプリンターという）を示している。このプリンター１は、画像形成部２０を有する装置本体６０を有している。装置本体６０内の下部には給紙部１０が設けられ、装置本体６０の上面には排紙部５０が形成されている。給紙部１０から排紙部５０に至る用紙搬送経路には、用紙Ｐを挟持して搬送する複数の搬送ローラー対１１〜１３が配置されている。尚、以下の説明において、「左側」、「右側」はそれぞれ、図１の左側、右側を意味し、「前側」、「後側」は、図１の紙面に垂直な方向の手前側、奥側を意味する。
【００１２】
上記給紙部１０は、シート状の用紙Ｐが収容される給紙カセット１０ａと、該給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して画像形成部２０に供給される。
【００１３】
画像形成部２０は、感光体ドラム２１、帯電器２３、露光装置２５、現像装置２７、転写器２９、及び定着器４０を含んでいる。画像形成時には、先ず、帯電器２３によって感光体ドラム２１の周面が帯電され、その後、露光装置２５によって感光体ドラム２１の表面に原稿画像データ（例えば、外部端末より受信した原稿画像の画像データ）に基づくレーザー光が照射される。そうして、感光体ドラム２１の表面には、上記画像データに対応する静電潜像が形成される。感光体ドラム２１の表面に形成された静電潜像は、現像装置２７によりトナー像として現像される。これにより、感光体ドラム２１の表面にトナー像が形成（担持）される。このトナー像は転写器２９によって、給紙部１０から供給される用紙Ｐに対して転写される。トナー像が転写された後の用紙Ｐは、転写器２９における転写ローラーの回転によって定着器４０へ供給される。
【００１４】
定着器４０では、転写器２９より供給される用紙Ｐを定着ローラー４０ａ及び加圧ローラー４０ｂ間で加熱及び加圧することにより、当該用紙Ｐにトナー像を定着させる。そして、定着器４０にてトナー像が定着された用紙Ｐは、両ローラー４０ａ，４０ｂにより用紙搬送方向の下流側へと送り出される。定着器４０より送り出された用紙Ｐは、複数の搬送ローラー対１２，１３を介して上記排紙部５０に排出される。
【００１５】
−異物捕集装置の詳細−
【００１６】
上記異物捕集装置１００は、装置本体６０内における画像形成部２０の右斜め上側に配置されている。異物捕集装置１００は、例えば現像装置２７から飛散したトナー等の異物を捕集するための装置である。
【００１７】
図２に示すように、異物捕集装置１００は、ダクト１０１、送風ファン１０２、及びフィルター連結体１０３を備えている。ダクト１０１は上下方向に延びており、その断面は例えば円形状をなしている。送風ファン１０２は、ダクト１０１内の上端部に配置されている。送風ファン１０２は、ダクト１０１内に下側から上側へと向かう空気流を形成する。フィルター連結体１０３は、後述するようにダクト１０１内において上下方向に移動可能に構成されている。尚、図２〜図１０では、便宜上、ダクト１０１の肉厚を省略して描いている。
【００１８】
上記ダクト１０１の壁部には、第１バイパス壁部１０１ｆ及び第２バイパス壁部１０１ｇが全周に亘って形成されている。第１及び第２バイパス壁部１０１ｆ，１０１ｇは、上下方向に間隔を空けて形成されている。該第１及び第２バイパス壁部１０１ｆ，１０１ｇは、ダクト１０１の壁部を径方向外側に膨出させて形成されている。第１バイパス壁部１０１ｆは、ダクト１０１内の壁部近傍に第１バイパス流路部２００ｆを形成する。第１バイパス流路部２００ｆは、ダクト１０１内を流通する空気が第１フィルター１０４（後述する）をバイパスするための流路である。第２バイパス壁部１０１ｇは、ダクト１０１内の壁部近傍に第２バイパス流路部２００ｇを形成する。第２バイパス流路部２００ｇは、ダクト１０１内を流通する空気が、第２フィルター１０５（後述する）をバイパスするための流路である。
【００１９】
フィルター連結体１０３は、第１フィルター１０４及び第２フィルター１０５を、一対の連結シャフト１０６により連結して構成されている。フィルター連結体１０３は、ダクト１０１内の上下方向の中間部に配置されている。上記送風ファン１０２は、このフィルター連結体１０３の下流側に位置している。第１及び第２フィルター１０４，１０５は、上下方向（つまり空気流通方向）に間隔を空けて配置されている。第１及び第２フィルター１０４，１０５は、例えば網目状に形成されていて、空気の流通を許容する一方トナー等の異物の流通を遮るように構成されている。上記一対の連結シャフト１０６は、上下方向に延びるとともに左右に間隔を空けて配置されている。各シャフト１０６の上端部が第１フィルター１０４に固定され、各シャフト１０６の下端部が第２フィルター１０５に固定されている。そうして、一対の連結シャフト１０６は、第１及び第２フィルター１０４，１０５を互いに連結している。
【００２０】
フィルター連結体１０３は、第１の状態と第２の状態との２つの状態を有している。フィルター連結体１０３は、上記第１の状態において、第１フィルター１０４が第１バイパス壁部１０１ｆよりも上流側（下側）に位置し、且つ、第２フィルター１０５がダクト１０１内における第２バイパス壁部１０１ｇに対応する箇所に位置するように構成されている。ダクト１０１の壁部には、フィルター連結体１０３を重力に抗して上記第１の状態に保持するための第１ストッパー部１０１ｋ（図３にのみ示す）が形成されている。ストッパー部１０１ｋは、例えば、第１フィルター１０４の周壁面に係合する三角柱状の突起部により構成することができる。上記第１の状態において、第１フィルター１０４はダクト１０１の断面全体を遮っている。
【００２１】
フィルター連結体１０３は、上記第２の状態において、第１フィルター１０４がダクト１０１内における第１バイパス壁部１０１ｆに対応する箇所に位置し、且つ、第２フィルター１０５がダクト１０１内における第２バイパス壁部１０１ｇよりも下流側に位置するように構成されている。ダクトの壁部１０１には、フィルター連結体１０３を第２の状態に保持するための第２ストッパー部１０１ｍ（図４にのみ示す）が形成されている。上記第２の状態において、第２フィルター１０５はダクト１０１の断面全体を遮っている。
【００２２】
以上のように構成された異物捕集装置１００の動作について図５を参照しながら説明する。異物捕集装置１００の動作開始直後は、図５の左側図に示すように、フィルター連結体１０３は上述した第１の状態にある。この第１の状態において、送風ファン１０２の作動によりダクト１０１内に流入した空気は、先ず、第１フィルター１０４を通過する。これにより、空気中に存在するトナー等の異物が第１フィルター１０４により捕集される。第１フィルター１０４を通過した空気は、第２フィルター１０５に達するものの、第２フィルター１０５の周囲には第２バイパス流路２００ｇが存在するため、該第２バイパス流路２００ｇを通過して（第２フィルター１０５をバイパスして）ダクト１０１の出口へと向かう。
【００２３】
その後、第１フィルター１０４の異物捕集量が増加するにしたがって、第１フィルター１０４に作用する風圧が増加する。この結果、フィルター連結体１０３は、この風圧によりダクト１０１内を上流側（下側）から下流側（上側）に移動し始める（図３の中央図参照）。そして、第１フィルター１０４の異物捕集量が所定量を超えると、第１フィルター１０４がダクト１０１内における第１バイパス壁部１０１ｆに対応する箇所に達するとともに、第２フィルター１０５が、第２バイパス壁部１０１ｆよりも上流側に移動する。そして、ダクト１０１に形成された第２ストッパー部１０１ｍ（図４参照）が第２フィルター１０５の周側面に係合することにより、フィルター連結体１０３の移動が停止する。こうして、フィルター連結体１０３が上記第１状態から第２の状態に移行する（図３の右側図参照）。この第２の状態においてダクト１０１内に流入した空気は、第１フィルター１０４を通過せずに、第１フィルター１０４の周囲に形成された第１バイパス流路部２００ｆを通過する（第１フィルター１０４をバイパスする）。そうして、第１バイパス流路部２００ｆを通過した空気は、ダクト１０１の断面全体を遮る第２フィルター１０５を通過してダクト１０１の出口へと向かう。このとき、空気中に含まれるトナー等の異物は、第２フィルター１０５により捕集される。
【００２４】
したがって、上記実施形態１では、第１フィルター１０４の異物捕集量が所定量以下の間は、第１フィルター１０４のみがフィルター機能を発揮して、第２フィルター１０５はフィルター機能を発揮しない。一方、第１フィルター１０５の異物捕集量が所定量を超えると、第１フィルター１０４に替えて第２フィルター１０５がフィルター機能を発揮するようになる。よって、異物捕集装置１００の捕集効率を長期間に亘って高く維持することができる。しかも、フィルター連結体１０３を第１の状態から第２の状態に移行させる際に、第１フィルター１０４に作用する風圧を利用するようにしているので、モーター等のアクチュエーターを利用する場合に比べてコストを低減することができる。
【００２５】
また、上記実施形態１では、フィルター連結体１０３を、ダクト１０１内において空気流通方向に沿って移動させるようにしているので、該連結体１０３を空気流通方向に直交する方向に移動させる場合に比べて、装置１００全体をコンパクト化することができる。
【００２６】
《実施形態２》
図６及び図７は、実施形態２を示している。この実施形態は、ダクト１０１を初期状態から上側に移動させることで、フィルター連結体１０３を第１の状態から第２の状態に移行させる点で上記実施形態１とは異なっている。尚、以下の実施形態において、図２及び図５と同じ構成要素には同じ符号を付して、その説明を省略する。  
【００２７】
すなわち、本実施形態では、異物捕集装置１００は、ダクト１０１、送風ファン１０２、及びフィルター連結体１０３に加えて、差圧センサー１１１とダクト駆動機構１１５とを有している。
【００２８】
上記ダクト１０１は、上側ダクト部１０１ａ、下側ダクト部１０１ｂ及び中間ダクト部１０１ｃを有している。中間ダクト部１０１ｃの上端部は、上側ダクト部１０１ａの下端部にスライド可能に内挿されている。中間ダクト部１０１ｃの下端部は、下側ダクト部１０１ｂの上端部にスライド可能に内挿されている。下側ダクト部１０１ｂの下端部の内周面には、フィルター連結体１０３が固定部材１０７を介して固定されている。尚、図６及び図７では、見易さの点から、上側ダクト部１０１ａの内周面と中間ダクト１０１ｃの外周面との間、及び、下側ダクト部１０１ｂの内周面と中間ダクト１０１ｃの外周面との間に隙間を設けているが、実際には各部は互いに密着している。
【００２９】
上記差圧センサー１１１は、フィルター連結体１０３の上流側と下流側との差圧を測定して、その測定値をコントローラー１１０に出力する。
【００３０】
上記ダクト駆動機構１１５は、ギアー１０８とモーター１０９とを有している。ギアー１０８は、中間ダクト部１０１ｃの外周面に形成された不図示のギアー部に噛合している。ギアー１０８は、モーター１０９により駆動される。モーター１０９は、コントローラー１１０により制御される。
【００３１】
コントローラー１１０は、差圧センサー１１１より受信した測定値を基に、第１フィルター１０４の異物捕集量を算出する。コントローラー１１０は、算出した異物捕集量が所定量を超えるか否かを判定する。コントローラー１１０は、算出した異物捕集量が所定量以下であると判定した場合には、フィルター連結体１０３を第１の状態（図５の左側図参照）にするべく、モーター１０９の回転角度を制御する。コントローラー１１０は、フィルター連結体１０３が第１の状態にある場合において、上記算出した異物捕集量が所定量を超えていると判定したときには、モーター１０９によりギアー１０８を駆動して中間ダクト部１０１ｃを下側に移動させ、それによって、フィルター連結体１０３をダクト１０１に対して空気流通方向の下流側（上側）に相対移動させる。そうして、コントローラー１１０は、第１フィルター１０４の異物捕集量が所定量を超えた場合には、フィルター連結体１０３を第１の状態から第２の状態に移行させる（図７の右側図参照）。これにより、上記実施形態１と同様の作用効果を得ることができる。また、上記実施形態１の如く第１フィルター１０４に作用する風圧を利用する場合に比べて、フィルター連結体１０３を確実に第１の状態から第２の状態に移行させることができる。
【００３２】
《実施形態３》
図８及び図９は、実施形態３を示している。この実施形態は、ダクト１０１の伸縮動作によりフィルター連結体１０３を第１の状態から第２の状態に移行させる点で上記各実施形態とは異なっている。
【００３３】
すなわち、本実施形態では、異物捕集装置１００は、ダクト１０１、送風ファン１０２、及びフィルター連結体１０３に加えて、差圧センサー１１１とダクト伸縮機構１１６とを有している。
【００３４】
ダクト１０１は、上側伸縮部１０１ｈ及び下側伸縮部１０１ｊを有している。両伸縮部１０１ｈ，１０１ｊは、ダクト１０１の壁部を蛇腹状に形成してなる。両伸縮部１０１ｈ，１０１ｊは、第２バイパス壁部１０１ｆを挟むように上下に並んで形成されている。
【００３５】
ダクト伸縮機構１１６は、コントローラー１１０からの指令を受けて、ダクト１０１を上下方向に伸縮させる。具体的には、ダクト伸縮機構１１６は、電磁石１１７及び移動体１１８を有している。
【００３６】
電磁石１１７はコントローラー１１０により通電制御される。移動体１１８は、電磁石１１７により吸着可能な金属製のブロック片からなる。移動体１１８は、例えば第２バイパス壁部１０１ｆの外周面に固定されている。
【００３７】
コントローラー１１０は、差圧センサー１１１より受信した測定値を基に、第１フィルター１０４の異物捕集量を算出する。コントローラー１１０は、算出した異物捕集量が所定量を超えているか否かを判定する。コントローラー１１０は、算出した異物捕集量が所定量以下であると判定した場合には、フィルター連結体１０３を第１の状態（図７の左側図参照）にするべく、電磁石１１７により移動体１１８に対して反発力を作用させる。一方、コントローラー１１０は、算出した異物捕集量が上記所定量を超えていると判定した場合には、電磁石１１８より移動体１１８に対して吸引力を作用させることで、上側伸縮部１０１ｈを所定量だけ縮長させるとともに下側伸縮部１０１ｊを所定量だけ伸長させる。そうして、コントローラー１１０は、第１フィルター１０４の異物捕集量が所定量を超えた場合には、フィルター連結体１０３を第１の状態から第２の状態に移行させる（図９の右側図参照）。これにより、上記各実施形態と同様の作用効果を得ることができる。また、上記実施形態１の如く第１フィルター１０４に作用する風圧を利用する場合に比べて、フィルター連結体１０３を第１の状態から第２の状態に確実に移行させることができる。また、上記実施形態２の如くダクト１０１を３つに分割する必要もないので、ダクト１０１のシール性を向上させることができる。
【００３８】
《他の実施形態》
本発明は、上記実施形態に限定されるものではない。すなわち、上記各実施形態では、フィルター連結体１０３は第１フィルター１０４と第２フィルター１０５との２つのフィルターを有しているが、これに限ったものではなく、例えば３つ以上のフィルターを有していてもよい。図１０には、一例として、フィルター連結体１０３が第１及び第２フィルター１０４，１０５に加えて第３フィルター１２０を有する構成を示している。図１０の左側図は、第１フィルター１０４のみがフィルター機能を発揮する状態を示している。この状態で、第１フィルター１０４の異物捕集量が所定量を超えると、第２フィルター１０５のみがフィルター機能を発揮する状態（図１０の中央図の状態）に移行する。この状態、第２フィルター１０５の異物捕集量が所定量を超えると、第３のフィルターのみがフィルター機能を発揮する状態（図１０の右側図の状態）に移行する。したがって、上記各実施形態に比べて、フィルター連結体１０３が第３のフィルター１２０を有する分、異物捕集効率を長期間に亘って高く維持することができる。
【００３９】
上記各実施形態では、ダクト１０１が上下方向に延びる例について説明したが、これに限ったものではなく、例えばダクト１０１が水平方向に延びていてもよい。
【００４０】
上記各実施形態では、第１ストッパー部１０１ｋ、第２ストッパー部１０１ｍが、それぞれ、第１フィルター１０４、第２フィルター１０５に直接係合する例について説明したが、これに限ったものではなく、例えば、フィルター１０４，１０５の周囲に弾性部材（例えばウレタン）からなる枠状体を取付けて、この枠状態に形成した係合凹部にストッパー部１０１ｋ，１０１ｍを係合させるようにしてもよい。
【００４１】
上記実施形態２では、ダクト駆動機構１１５の動力源としてモーター１０９を使用した例を示したが、これに限ったものではなく、例えば電磁石を使用するようにしてもよい。
【００４２】
上記実施形態２では、ダクト１０１が上側伸縮部１０１ｈ及び下側伸縮部１０１ｊを有する例を説明したが、これに限ったものではなく、ダクト１０１全体が伸縮可能に構成されていてもよい。この場合、例えばダクト１０１全体を蛇腹状に形成すればよい。
【００４３】
上記実施形態３では、ダクト伸縮機構１１６の動力源として電磁石１１７を使用した例を示したが、これに限ったものではなく、例えばモーターを使用するようにしてもよい。
【００４４】
また、上記各実施形態では、送風ファン１０２によりダクト１０１内に強制的に空気流を形成する例について説明したが、これに限ったものではなく、空気流は自然流であってもよい。すなわち、送風ファン１０２は必ずしも必要ない。
【００４５】
また、上記各実施形態では、一例として、異物捕集装置１００をプリンター１に適用した例を示したが、これに限ったものではなく、空気中に異物が存在する如何なる装置及び環境に対しても適用し得る。
【００４６】
また、本発明は上記実施形態１〜３に限定されるものでなく、本発明には、これらの実施形態１〜３を適宜組み合わせた構成が含まれる。
【産業上の利用可能性】
【００４７】
以上説明したように、本発明は、異物捕集装置に有用である。
【符号の説明】
【００４８】
１００  異物捕集装置
１０１  ダクト
１０１ｆ第１バイパス壁部
１０１ｇ第２バイパス壁部
１０３  フィルター連結体
１０４  第１フィルター
１０５  第２フィルター
１０６  連結シャフト（連結部材）
１０８  ギアー
１０９  モーター
１１０  コントローラー（異物捕集量検出手段、制御手段）
１１１  差圧センサー（異物捕集量検出手段）
１１５  ダクト駆動機構
１１６  ダクト伸縮機構
２００ｆ第１バイパス流路（流路）
２００ｇ第２バイパス流路（流路）
【図１】
2015106070.tif 000003
【図２】
2015106070.tif 000004
【図３】
2015106070.tif 000005
【図４】
2015106070.tif 000006
【図５】
2015106070.tif 000007
【図６】
2015106070.tif 000008
【図７】
2015106070.tif 000009
【図８】
2015106070.tif 000010
【図９】
2015106070.tif 000011
【図１０】
2015106070.tif 000012